(57)【要約】      （修正有）【課題】立体感に溢れる外観を呈する時計用回転表示部材及び前記時計用回転表示部材を備えた時計を提供する。【解決手段】時計用回転表示部材１は、平面視した際に複数個のマイクロレンズ１１１が規則的に配置されたマイクロレンズ層と、複数の線状の模様１２１が設けられた装飾層とを備え、平面視した際に、マイクロレンズ層と装飾層とが重なり合うものであることを特徴とする。時計用回転表示部材１は、日車、曜車、月齢車または円盤針であるのが好ましい。また、複数の線状の模様１２１は、隣り合う線状の模様１２１のピッチが、直線状の基準線１２０の長手方向に沿って変化するものであるのが好ましい。【選択図】図４
2013217674.tif 000002
【特許請求の範囲】
【請求項１】
平面視した際に複数個のマイクロレンズが規則的に配置されたマイクロレンズ層と、
複数の線状の模様が設けられた装飾層とを備え、
平面視した際に、前記マイクロレンズ層と前記装飾層とが重なり合うものであることを特徴とする時計用回転表示部材。
【請求項２】
時計用回転表示部材は、日車、曜車、月齢車または円盤針である請求項１に記載の時計用回転表示部材。
【請求項３】
隣り合う前記線状の模様のピッチは、直線状の基準線の長手方向に沿って変化するものである請求項１または２に記載の時計用回転表示部材。
【請求項４】
時計用回転表示部材を平面視した際に隣り合う前記マイクロレンズの中心を直線で結んだ場合に、当該直線により複数個の三角形が規則的に配置されたものとなる請求項１ないし３のいずれかに記載の時計用回転表示部材。
【請求項５】
前記三角形は、正三角形である請求項４に記載の時計用回転表示部材。
【請求項６】
時計用回転表示部材を平面視した際に隣り合う前記マイクロレンズの中心を直線で結んだ場合に、当該直線により複数個の四角形が規則的に配置されたものとなる請求項１ないし５のいずれかに記載の時計用回転表示部材。
【請求項７】
前記四角形は、正方形である請求項６に記載の時計用回転表示部材。
【請求項８】
請求項１ないし７のいずれかに記載の時計用回転表示部材を備えたことを特徴とする時計。
【発明の詳細な説明】
【技術分野】
【０００１】
本発明は、時計用回転表示部材および時計に関する。
【背景技術】
【０００２】
時計は、実用品としての機能が求められるとともに、装飾品としての装飾性（美的外観）が求められる。
そして、時計には、円盤針、日付を表示する日車、曜日を表示する曜車、月齢を表示する月齢板等の回転表示部材（時計用回転表示部材）を備えたものがある（例えば、特許文献１、２、３、４参照）。
【０００３】
一方、時計についてはさまざまな需要があり、立体感のある外観を呈する回転表示部材を備えた時計に対するニーズがある。
しかしながら、従来においては、上記のような時計用回転表示部材は、基材に観察者に認識させるべき文字、模様等を単に印刷したものを用いており、上記のようなニーズに十分に応えることができていなかった。特に、腕時計のような携帯時計に適用される回転表示部材では、特に、時計全体としての厚みについての制約が大きく、立体感に溢れた外観の実現が極めて困難であった。
【先行技術文献】
【特許文献】
【０００４】
【特許文献１】特開２００９−２２９０６９号公報
【特許文献２】特開平１０−６２５６１号公報
【特許文献３】特開２００４−１３２７１５号公報
【特許文献４】特開平１０−１０４３６５号公報
【発明の概要】
【発明が解決しようとする課題】
【０００５】
本発明の目的は、立体感に溢れる外観を呈する時計用回転表示部材を提供すること、また、前記時計用回転表示部材を備えた時計を提供することにある。
【課題を解決するための手段】
【０００６】
このような目的は下記の本発明により達成される。
本発明の時計用回転表示部材は、平面視した際に複数個のマイクロレンズが規則的に配置されたマイクロレンズ層と、
複数の線状の模様が設けられた装飾層とを備え、
平面視した際に、前記マイクロレンズ層と前記装飾層とが重なり合うものであることを特徴とする。
これにより、立体感に溢れる外観を呈する時計用回転表示部材を提供することができる。
【０００７】
本発明の時計用回転表示部材では、時計用回転表示部材は、日車、曜車、月齢車または円盤針であることが好ましい。
これらの時計用回転表示部材は、各種回転表示部材の中でも、時計全体の外観に与える影響が大きいものである。したがって、本発明が、上記のような時計用回転表示部材に適用されることにより、本発明の効果がより顕著に発揮される。
【０００８】
本発明の時計用回転表示部材では、隣り合う前記線状の模様のピッチは、直線状の基準線の長手方向に沿って変化するものであることが好ましい。
これにより、時計用回転表示部材の外観をより立体感に溢れるものとすることができ、時計用回転表示部材の美的外観を特に優れたものとすることができる。
本発明の時計用回転表示部材を平面視した際に隣り合う前記マイクロレンズの中心を直線で結んだ場合に、当該直線により複数個の三角形が規則的に配置されたものとなることが好ましい。
これにより、時計用回転表示部材の立体感・美的外観を特に優れたものとすることができる。
【０００９】
本発明の時計用回転表示部材では、前記三角形は、正三角形であることが好ましい。
これにより、時計用回転表示部材の立体感・美的外観をさらに優れたものとすることができる。
本発明の時計用回転表示部材を平面視した際に隣り合う前記マイクロレンズの中心を直線で結んだ場合に、当該直線により複数個の四角形が規則的に配置されたものとなることが好ましい。
これにより、時計用回転表示部材の立体感・美的外観を特に優れたものとすることができる。
【００１０】
本発明の時計用回転表示部材では、前記四角形は、正方形であることが好ましい。
これにより、時計用回転表示部材の立体感・美的外観をさらに優れたものとすることができる。
本発明の時計は、本発明の時計用回転表示部材を備えたことを特徴とする。
これにより、立体感に溢れる外観を呈する時計用回転表示部材を備えた時計を提供することができる。
【発明の効果】
【００１１】
本発明によれば、立体感に溢れる外観を呈する時計用回転表示部材を提供すること、また、前記時計用回転表示部材を備えた時計を提供することができる。
【図面の簡単な説明】
【００１２】
【図１】本発明の第１実施形態の時計の概略構造を示す平面図である。
【図２】図１に示す時計が備える日車および曜車を示す平面図である。
【図３】本発明の時計用回転表示部材の断面図である。
【図４】本発明の時計用回転表示部材を構成するマイクロレンズと複数の線状の模様との位置関係を説明するための拡大平面図の一例である。
【図５】本発明の時計用回転表示部材を構成するマイクロレンズと複数の線状の模様との位置関係を説明するための拡大平面図の他の例である。
【図６】本発明の時計用回転表示部材を構成するマイクロレンズと複数の線状の模様との位置関係を説明するための拡大平面図の他の例である。
【図７】本発明の第２実施形態の時計の概略構造を示す平面図である。
【図８】図７に示す時計が備える月齢車を示す平面図である。
【図９】本発明の第３実施形態の時計の概略構造を示す平面図である。
【図１０】図９に示す時計が備える円盤針を示す平面図である。
【発明を実施するための形態】
【００１３】
以下、本発明の好適な実施形態について、添付図面を参照しつつ説明する。
本発明の時計は、時計用回転表示部材を備えるものである。本発明において、時計用回転表示部材とは、時計において、文字板との間で相対的に回転可能なものであり、当該回転に伴い、観察者に視認させる表示内容が変化するもののことを言う。
時計用回転表示部材としては、例えば、日車、曜車、月齢車、円盤針、年車、四季車、タイムゾーン表示（都市表示）車、加飾車（例えば、矢印による文字板上の情報指示、ハート・星等の模様表示による外観効果を加えるもの）等が挙げられるが、本発明の時計用回転表示部材は、日車、曜車、月齢車または円盤針に適用されるものであるのが好ましい。これらの時計用回転表示部材は、各種回転表示部材の中でも、時計全体の外観に与える影響が大きいものである。したがって、本発明が、上記のような時計用回転表示部材に適用されることにより、本発明の効果がより顕著に発揮される。
【００１４】
本発明は、置き時計、掛け時計、携帯時計（腕時計、懐中時計等）等、いかなる時計に適用されるものであってもよいが、携帯時計に適用されるものであるのが好ましい。携帯時計は、各種時計の中でも、特に、薄型化が要求されるものであるが、本発明によれば、時計（時計用回転表示部材）の厚さを十分に薄いものとしつつ、時計用回転表示部材の立体感を十分に優れたものとすることができる。すなわち、携帯時計に適用された場合に、本発明の効果がより顕著に発揮される。したがって、以下の説明では、携帯時計（特に、腕時計）について代表的に説明する。
【００１５】
＜第１実施形態＞
図１は、本発明の第１実施形態の時計の概略構造を示す平面図、図２は、図１に示す時計が備える日車および曜車を示す平面図、図３は、本発明の時計用回転表示部材の断面図、図４、図５、図６は、本発明の時計用回転表示部材を構成するマイクロレンズと複数の線状の模様との位置関係を説明するための拡大平面図である。
【００１６】
本実施形態の時計１００は、ケース２、文字板３、針４としての時針４１、分針４２、秒針４３、図示しないムーブメント等を備えている。
文字板３には、日付を表示するための日付表示窓３１と、曜日を表示するための曜日表示窓３２とが設けられている。
図２に示すように、文字板３の下面側（針４が配置された面とは反対の面側）には、時計用回転表示部材１としての日車１Ａおよび曜車１Ｂが配置されている。日車１Ａおよび曜車１Ｂは、それぞれ独立に、軸５の回転に伴い回転可能となっている。そして、日付表示窓３１から日車１Ａに示された日付が表示されるように構成されており、曜日表示窓３２から曜車１Ｂに示された曜日が表示されるように構成されている。
【００１７】
以下、時計１００を構成する時計用回転表示部材１について、詳細に説明する。
図３に示すように、時計用回転表示部材１は、複数個のマイクロレンズが設けられたマイクロレンズ層１１と、複数の線状の模様が設けられた装飾層（第１の装飾層）１２とを備えている。マイクロレンズ層１１を構成するマイクロレンズ１１１は、時計用回転表示部材１（マイクロレンズ層１１）を平面視した際に規則的に配置されたものである（図４、図５参照）。装飾層（第１の装飾層）１２は、マイクロレンズ層１１の下面側（観察者の視点とは反対の面側）に配置されたものである。そして、時計用回転表示部材１を平面視した際に、マイクロレンズ層１１と装飾層１２とは重なり合うものである。
【００１８】
時計用回転表示部材の構成をこのようなものとすることにより、光の干渉（モアレ）を視覚的に使用し、立体感に溢れる外観を呈する時計用回転表示部材を提供することができることを、本発明者は鋭意研究の結果見出した。特に、観察者の錯覚を利用することにより、時計用回転表示部材の厚みを、現実の厚み以上のものとして、観察者に認識させることができる時計用回転表示部材を提供することができることを、本発明者は鋭意研究の結果見出した。
【００１９】
また、図３に示す時計用回転表示部材１は、マイクロレンズ層１１、装飾層（第１の装飾層）１２に加え、さらに、マイクロレンズ層１１の第１の装飾層１２が設けられた面とは反対の面側（観察者の視点側、外表面側）に設けられた第２の装飾層１３を有している。このような第２の装飾層１３を有することにより、マイクロレンズ層１１の上面近傍（第２の装飾層１３）を基準面として効果的に機能させることができ、上記のような第１の装飾層１２を構成する模様（複数の線状の模様１２１）の奥行き感等をさらに強調することができ、時計用回転表示部材１の立体感を特に優れたものとすることができる。
【００２０】
そして、時計用回転表示部材１においては、第１の装飾層１２および第２の装飾層１３が、マイクロレンズ層１１に固定されている。これにより、時計用回転表示部材１が回転した場合であっても、マイクロレンズ層１１と第１の装飾層１２との相対的な位置関係、マイクロレンズ層１１と第２の装飾層１３との相対的な位置関係が変化してしまうことが確実に防止されている。
【００２１】
［マイクロレンズ層］
マイクロレンズ層１１は、複数個のマイクロレンズ１１１が規則的に配置されたものである。
図４に示す構成では、時計用回転表示部材１を平面視した際に隣り合うマイクロレンズ１１１の中心を直線で結んだ場合に、当該直線により複数個の三角形が規則的に配置されたものとなるように、複数個のマイクロレンズ１１１が配置されている。これにより、時計用回転表示部材１の立体感・美的外観を特に優れたものとすることができる。
特に、図４に示す構成では、前記三角形が正三角形である。これにより、時計用回転表示部材１の立体感・美的外観をさらに優れたものとすることができる。
【００２２】
また、図５に示す構成では、時計用回転表示部材１を平面視した際に隣り合うマイクロレンズ１１１の中心を直線で結んだ場合に、当該直線により複数個の四角形が規則的に配置されたものとなるように、複数個のマイクロレンズ１１１が配置されている。このように、本発明においては、マイクロレンズの配置パターンは、図４に示したようなものに限定されない。特に、図５に示すような構成であると、時計用回転表示部材１の立体感・美的外観を特に優れたものとすることができる。
また、図５に示す構成では、前記四角形が正方形である。これにより、時計用回転表示部材１の立体感・美的外観をさらに優れたものとすることができる。
【００２３】
マイクロレンズ１１１の焦点距離は、１００μｍ以上１０００μｍ以下であるのが好ましく、１５０μｍ以上５００μｍ以下であるのがより好ましい。これにより、時計用回転表示部材１の立体感・美的外観を特に優れたものとすることができる。なお、焦点は、図中にＰで示した。
マイクロレンズ１１１のピッチ（時計用回転表示部材１を平面視した際のピッチ）ＰＭＬは、５０μｍ以上５００μｍ以下であるのが好ましく、６０μｍ以上３００μｍ以下であるのがより好ましい。これにより、時計用回転表示部材１の立体感・美的外観を特に優れたものとすることができる。なお、本明細書において、マイクロレンズのピッチとは、隣り合うマイクロレンズについて、時計用回転表示部材を平面視した際のそれぞれの中心点を結ぶ距離のことをいう。
【００２４】
マイクロレンズ層１１は、光透過性を有する材料で構成されたものである。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。このような光の透過率は、例えば、以下に述べるようにして求められる値を採用することができる。すなわち、光源として、白色蛍光灯（東芝社製、検査用蛍光灯  ＦＬ２０Ｓ−Ｄ６５）を用い、１０００ルクス下で、測定対象の部材（ここでは、マイクロレンズ層１１）と同一形状のソーラーセル（太陽電池）のみで発電した際の電流値（Ｘ）を求める。また、前記ソーラーセルの光源側の面に測定対象である部材を載せた以外は、前記と同一の状態で発電した際の電流値（Ｙ）を求める。そして、上記のようにして求められたＹのＸに対する比率（（Ｙ／Ｘ）×１００［％］）を、光の透過率として採用することができる。以下、本明細書中において、特に断りのない限り、「光の透過率」とは、このような条件で求められる値のことを指す。
【００２５】
マイクロレンズ層１１を構成する材料としては、例えば、各種プラスチック材料、各種ガラス材料等が挙げられるが、マイクロレンズ層１１は、主としてプラスチック材料で構成されたものであるのが好ましい。プラスチック材料は、一般に、成形性（成形の自由度）に優れており、種々の形状の時計用回転表示部材１の製造に好適に適用することができる。また、マイクロレンズ層１１がプラスチック材料で構成されたものであると、時計用回転表示部材１の製造コスト低減に有利である。また、プラスチック材料は、一般に、光（可視光）の透過性に優れるとともに、電波の透過性にも優れているため、マイクロレンズ層１１がプラスチック材料で構成されたものであると、時計用回転表示部材１を、電波時計に好適に適用することができる。以下の説明では、マイクロレンズ層１１が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００２６】
マイクロレンズ層１１を構成するプラスチック材料としては、各種熱可塑性樹脂、各種熱硬化性樹脂等が挙げられる。これらの具体例としては、例えば、ポリプロピレン（ＰＰ）、ポリエチレン（ＰＥ）等のポリオレフィン系樹脂、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレンテレフタレート（ＰＥＴ）等のポリエステル系樹脂、エポキシ系樹脂、ウレタン系樹脂等、またはこれらを主とする共重合体、ブレンド体、ポリマーアロイ等が挙げられる。そして、これらの材料は、１種または２種以上を組み合わせて（例えば、ブレンド樹脂、ポリマーアロイ、積層体等として）用いることができる。
【００２７】
特に、マイクロレンズ層１１は、主として、ポリプロピレンで構成されたものであるのが好ましい。ポリプロピレンは加工性、成形性に優れているため、ポリプロピレンで構成されたマイクロレンズ１１１は、より滑らかな形状のものとすることができる。このため、直線模様を明確に示すことができるとともに、マイクロレンズ１１１の屈折率を最適なものとすることができるため、時計用回転表示部材１全体としての美的外観を特に優れたものとすることができる。
【００２８】
また、ポリカーボネートは上述したような材料の中でも、特に高強度（高硬度）の材料である。このため、ポリカーボネートで構成されたマイクロレンズ１１１は、耐久性が特に優れたものとすることができるとともに、時計用回転表示部材１全体としての強度を特に優れたものとすることができるとともに、マイクロレンズ１１１の寸法精度をより高いものとすることができ、また、マイクロレンズ１１１の不本意な変形等をより確実に防止することができるため、時計用回転表示部材１の信頼性を特に優れたものとすることができる。また、マイクロレンズ層１１が、アクリル系樹脂、ポリエステル系樹脂、エポキシ系樹脂、ウレタン系樹脂で構成されたものである場合、印刷法（特に、インクジェット法のような液滴吐出法）によるマイクロレンズ１１１の形成をより好適に行うことができる。
【００２９】
なお、マイクロレンズ層１１は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、マイクロレンズ層１１が着色剤を含む材料で構成されたものであると、時計用回転表示部材１の色のバリエーションを広げることができる。
【００３０】
マイクロレンズ層１１は、各部位でその組成が実質的に均一な組成を有するものであってもよいし、部位によって組成の異なるものであってもよい。
マイクロレンズ層１１の屈折率（絶対屈折率）は、１．５００以上１．６５０以下であるのが好ましく、１．５５０以上１．６００以下であるのがより好ましい。これにより、時計用回転表示部材１の美的外観を特に優れたものとすることができる。
【００３１】
なお、図示の構成では、マイクロレンズ１１１は、略半球状をなすものであり、平面視した際の形状が円形をなす球面レンズであるが、マイクロレンズ１１１の形状は、特に限定されるものでなく、例えば、平面視した際の形状が俵型形状（略楕円形状、長円形状）や、略三角形状、略四角形状、略六角形状等をなすものであってもよい。
また、マイクロレンズ基板（マイクロレンズ層）１１の形状、大きさは、特に限定されず、通常、製造すべき時計用回転表示部材１の形状、大きさに基づいて決定される。なお、図示の構成では、マイクロレンズ基板１１は、平板状をなすものであるが、例えば、湾曲板状をなすものや、円筒状、角柱状をなすもの（周面にマイクロレンズ１１１が配置されたもの等）等であってもよい。
【００３２】
また、マイクロレンズ基板１１は、いかなる方法で成形されたものであってもよいが、マイクロレンズ基板１１の製造方法としては、例えば、圧縮成形、押出成形、射出成形、光造形、２Ｐ法等が挙げられる。また、マイクロレンズ基板１１は、例えば、マイクロレンズ１１１を有していない板状部材に、インクジェット法等の液滴吐出法により、マイクロレンズ１１１の構成材料を含む液状材料を吐出することにより、マイクロレンズ１１１を形成して得られたものであってもよい。また、マイクロレンズ１１１は、オフセット印刷、グラビア印刷等の各種印刷法を用いて形成されたものであってもよい。印刷法を用いてマイクロレンズを形成した場合、マイクロレンズ基板１１の生産コストを抑制することができる点で有利である。なお、本発明では、マイクロレンズ基板が有するマイクロレンズのうち少なくとも一部は平面視した際の形状が円形状のものでなくてもよく、例えば、楕円形状をなすものであってもよい。また、複数のマイクロレンズは、それぞれが独立したものであっても、隣り合うもの同士がつながったものであってもよい。
【００３３】
［装飾層（第１の装飾層）］
装飾層（第１の装飾層）１２は、複数の線状の模様が設けられたものである。
図４、図５、図６に示す構成では、装飾層１２は、時計用回転表示部材１（装飾層１２）を平面視した際に規則的に配置された複数の線状の模様１２１を有するものであり、装飾層１２は、複数の線状の模様１２１を有するものであればよいが、本実施形態では、隣り合う線状の模様１２１のピッチが、直線状の基準線１２０（１２０ａ）の長手方向に沿って変化するものである。これにより、時計用回転表示部材１の外観をより立体感に溢れるものとすることができ、時計用回転表示部材１の美的外観を特に優れたものとすることができる。なお、図示の構成では、基準線１２０は、装飾層１２を構成する複数の線状の模様１２１のうちの一つであるが、基準線１２０は、概念的なものであって、装飾層１２を構成する線状の模様１２１でなくてもよい。
【００３４】
また、基準線１２０の単位長さ（１ｃｍ）あたりの前記ピッチの変化量は、０．４μｍ以上１６μｍ以下であるのが好ましく、０．５μｍ以上１０μｍ以下であるのがより好ましい。すなわち、基準線１２０の単位長さ（１ｃｍ）あたりの前記ピッチの変化率は、０．２０％以上４．５％以下であるのが好ましく、０．２５％以上２．８％以下であるのがより好ましい。これにより、時計用回転表示部材１の外観をより立体感に溢れるものとすることができ、時計用回転表示部材１の美的外観をさらに優れたものとすることができる。
【００３５】
また、複数の線状の模様１２１は、直線状の基準線１２０の長手方向の各部位における基準線１２０の単位長さあたりの前記ピッチの変化率が、互いに等しいものであるのが好ましい。例えば、図中ＳＡで示した基準線１２０上の点を通り、基準線１２０に垂直な線ＬＡ上での隣り合う線状の模様１２１のピッチＰＲＡ１［μｍ］、ＰＲＡ２［μｍ］、ＰＲＡ３［μｍ］、ＰＲＡ４［μｍ］は、図中ＳＢで示した基準線１２０上の点を通り、基準線１２０に垂直な線ＬＢ上での隣り合う線状の模様１２１のピッチＰＲＢ１［μｍ］、ＰＲＢ２［μｍ］、ＰＲＢ３［μｍ］、ＰＲＢ４［μｍ］との間で、ＰＲＡ１／ＰＲＢ１＝ＰＲＡ２／ＰＲＢ２＝ＰＲＡ３／ＰＲＢ３＝ＰＲＡ４／ＰＲＢ４の関係を満足する。これにより、時計用回転表示部材１の外観をより立体感に溢れるものとすることができ、時計用回転表示部材１の美的外観をさらに優れたものとすることができる。
なお、基準線１２０上の任意の点を通り、基準線１２０に垂直な線上での隣り合う線状の模様１２１のピッチ（例えば、ＰＲＡ１、ＰＲＡ２、ＰＲＡ３およびＰＲＡ４）は、互いに異なるものであってもよいが、同一であるのが好ましい。これにより、時計用回転表示部材１の美的外観をさらに優れたものとすることができる。
【００３６】
隣り合う線状の模様１２１のピッチ（時計用回転表示部材１を平面視した際の基準線１２０に垂直な方向でのピッチ）ＰＲは、４０μｍ以上５５０μｍ以下であるのが好ましく、５０μｍ以上３５０μｍ以下であるのがより好ましい。これにより、時計用回転表示部材１の美的外観を特に優れたものとすることができる。本実施形態では、隣り合う線状の模様１２１のピッチが、直線状の基準線１２０の長手方向に沿って変化するものであるが、このような場合、時計用回転表示部材１の領域の少なくとも一部で上記のような条件を満足するのが好ましく、時計用回転表示部材１の全領域で上記の条件を満足するのがより好ましい。
【００３７】
マイクロレンズ１１１のピッチをＰＭＬ［μｍ］、隣り合う線状の模様１２１のピッチをＰＲ［μｍ］としたとき、０．５≦ＰＲ／ＰＭＬ≦１．５の関係を満足するのが好ましく、０．７≦ＰＲ／ＰＭＬ≦１．３の関係を満足するのがより好ましい。これにより、時計用回転表示部材１の外観をより立体感に溢れるものとすることができ、時計用回転表示部材１の美的外観を特に優れたものとすることができる。本実施形態では、隣り合う線状の模様１２１のピッチが、直線状の基準線１２０の長手方向に沿って変化するものであるが、このような場合、時計用回転表示部材１の領域の少なくとも一部で上記のような条件を満足するのが好ましく、時計用回転表示部材１の全領域で上記の条件を満足するのがより好ましい。
【００３８】
なお、隣り合う線状の模様１２１のピッチの方がマイクロレンズ１１１のピッチよりも小さい場合には模様が沈んで見え、一方、隣り合う線状の模様１２１のピッチの方がマイクロレンズ１１１のピッチよりも大きい場合には模様が浮かんで見える。
線状の模様１２１は、いかなる材料で構成されたものであってもよく、例えば、各種顔料、各種染料等の着色剤や、金属材料を含む材料で構成されたものであってもよい。また、線状の模様１２１は、樹脂材料を含む材料で構成されたものであってもよい。
【００３９】
また、線状の模様１２１は、いかなる方法で形成されたものであってもよく、例えば、スクリーン印刷法、グラビア印刷法、タコ印刷法、インクジェット法等の各種印刷法を用いて形成されたものであってもよい。
図４に示す線状の模様１２１は、直線状の基準線１２０の長手方向両端側（図中の上下方向）に向かって隣り合う線状の模様１２１のピッチが漸増するような基準線１２０上の点（基準点）ＳＡをもつ配置パターンとなっている。また、図５に示す線状の模様１２１は、直線状の基準線１２０の長手方向両端側（図中の上下方向）に向かって隣り合う線状の模様１２１のピッチが漸減するような基準線１２０上の点（基準点）ＳＡをもつ配置パターンとなっている。
【００４０】
また、図４、図５に示す線状の模様１２１の配置パターンは、１本の直線状の基準線１２０ａを基準とする一群の線群（複数の線状の模様１２１）を有するものである。これに対し、図６に示す線状の模様１２１の配置パターンは、２つの線群、すなわち、基準線１２０ａを基準とする線群と基準線１２０ｂを基準とする線群とを有するものである。そして、直線状の基準線１２０ａと基準線１２０ｂとが、それぞれ長手方向両端側に向かって、隣り合う線状の模様１２１のピッチが漸減するような基準線１２０上の点（基準点）ＳＡをもつものある。すなわち、直線状の基準線１２０ａは、図中の上下方向に向かって隣り合う線状の模様１２１（１２１ａ）のピッチが漸減するような基準線１２０上の点（基準点）ＳＡをもち、また、直線状の基準線１２０ｂは、図中の左右方向に向かって隣り合う線状の模様１２１（１２１ｂ）のピッチが漸減するような基準線１２０上の点（基準点）ＳＡをもつものである。このように、本発明において、装飾層は、複数の線群を有するものであってもよい。
【００４１】
マイクロレンズ１１１のレンズ面（図３中の上側の面）から後述する装飾層１２の表面（図３中の上側の面）までの距離は、１００μｍ以上１０００μｍ以下であるのが好ましく、１５０μｍ以上５００μｍ以下であるのがより好ましい。これにより、時計用回転表示部材１の外観をより立体感に溢れるものとすることができ、時計用回転表示部材１の美的外観を特に優れたものとすることができる。
【００４２】
特に、図４に示すように、時計用回転表示部材１を平面視した際に隣り合うマイクロレンズ１１１の中心を直線で結んだ場合に、当該直線により複数個の三角形が規則的に配置されたものとなるように、複数個のマイクロレンズ１１１が配置されている場合、マイクロレンズ１１１のレンズ面（図３中の上側の面）から装飾層１２の表面（図３中の上側の面）までの距離は、１５０μｍ以上５００μｍ以下であるのが好ましく、１５０μｍ以上３００μｍ以下であるのがより好ましい。これにより、時計用回転表示部材１の外観をより立体感に溢れるものとすることができ、時計用回転表示部材１の美的外観を特に優れたものとすることができる。
【００４３】
また、図５に示すように、時計用回転表示部材１を平面視した際に隣り合うマイクロレンズ１１１の中心を直線で結んだ場合に、当該直線により複数個の四角形が規則的に配置されたものとなるように、複数個のマイクロレンズ１１１が配置されている場合、マイクロレンズ１１１のレンズ面（図３中の上側の面）から装飾層１２の表面（図３中の上側の面）までの距離は、１００μｍ以上１０００μｍ以下であるのが好ましく、２５０μｍ以上６００μｍ以下であるのがより好ましい。これにより、時計用回転表示部材１の外観をより立体感に溢れるものとすることができ、時計用回転表示部材１の美的外観を特に優れたものとすることができる。
【００４４】
マイクロレンズ１１１の焦点距離をＬ０［μｍ］、マイクロレンズ１１１のレンズ面から装飾層１２の表面までの距離をＬ１［μｍ］としたとき、０．５≦Ｌ１／Ｌ０≦１．５の関係を満足するのが好ましく、０．６≦Ｌ１／Ｌ０≦１．４の関係を満足するのがより好ましい。これにより、時計用回転表示部材１の外観をより立体感に溢れるものとすることができ、時計用回転表示部材１の美的外観を特に優れたものとすることができる。  
また、装飾層１２の形状、大きさは、特に限定されず、通常、製造すべき時計用回転表示部材１の形状、大きさに基づいて決定される。
また、図３に示す構成では、マイクロレンズ層（マイクロレンズ基板）１１と装飾層１２とが密着している。これにより、マイクロレンズ１１１と複数の線状の模様１２１との距離を一定に保つことができ、時計用回転表示部材１の外観を安定的に優れたものとすることができる。
【００４５】
［第２の装飾層］
マイクロレンズ層１１の第１の装飾層１２が設けられた面とは反対の面側（観察者の視点側、外表面側）には、第２の装飾層１３が設けられている。このような第２の装飾層１３を有することにより、マイクロレンズ層１１の上面近傍（第２の装飾層１３）を基準面として効果的に機能させることができ、上記のような第１の装飾層１２を構成する模様（複数の線状の模様１２１）の奥行き感等をさらに強調することができ、時計用回転表示部材１の立体感を特に優れたものとすることができる。
【００４６】
第２の装飾層１３は、いかなる模様が設けられたものであってもよいが、時計用回転表示部材１が日車１Ａである場合には、日付を表す数字が描かれたものであるのが好ましく、時計用回転表示部材１が曜車１Ｂである場合には、曜日を表す文字等が描かれたものであるのが好ましい。日車１Ａを構成する第２の装飾層１３に描かれた日付を表す数字としては、例えば、ローマ数字、アラビア数字、漢数字等を用いることができる。曜車１Ｂを構成する第２の装飾層１３に描かれた曜日を表す文字としては、例えば、ローマ字、漢字等を用いることができる。
また、図３に示す構成では、マイクロレンズ層（マイクロレンズ基板）１１と第２の装飾層１３とが密着している。これにより、時計用回転表示部材１の外観を安定的に優れたものとすることができる。
【００４７】
＜第２実施形態＞
図７は、本発明の第２実施形態の時計の概略構造を示す平面図、図８は、図７に示す時計が備える月齢車を示す平面図である。以下、第２実施形態の時計について、前記実施形態との相違点を中心に説明し、同様の事項の説明は省略する。
本実施形態では、文字板３には、月齢（月の満ち欠けの状態）を表示するための月齢表示窓３３が設けられている。
【００４８】
実施形態の時計１００では、時計用回転表示部材１としての月齢車１Ｃが、文字板３の下面側（針４が配置された面とは反対の面側）に配置されている。
月齢車１Ｃは、軸６の回転に伴い回転可能となっている。月齢車１Ｃには、その中心軸を挟んで対向するように２つの月が描かれており、月齢車１Ｃは、月齢周期である２９．５日で半回転する。そして、月齢表示窓３３から視認される月の形状により、観察者が月齢（月の満ち欠けの状態）を判断することが可能になっている。
【００４９】
また、月齢車１Ｃは、第２の装飾層１３が月の模様と月以外の星の模様（月よりも小さいものとして観察者に認識されるもの）とを有しており、第１の装飾層１２が複数の線状の模様１２１を有している。
また、例えば、第１の装飾層１２が月以外の星の模様を有していてもよい。すなわち、マイクロレンズ層１１の上面側（観察者の視点側、外表面側）に設けられた第２の装飾層１３が月の模様を有し、マイクロレンズ層１１の下面側に設けられた第１の装飾層１２が月以外の星の模様を有する構造であってもよい。これにより、地球から最も近い天体としての月が、月以外の星よりも手前に存在するものとして、優れた立体感で表示することができ、美的外観を特に優れたものとすることができる。また、このような構造であると、以下のような効果も得られる。つまり、複数の線状の模様１２１については、上述したような奥行き感を持たせる効果が得られるのに対し、月以外の星の模様については、このような効果は得られない。このため、実際には、月以外の星の模様と複数の線状の模様１２１とがともに第１の装飾層１２を構成するもの（同一面上に存在するもの）であるにも関わらず、観察者の視点側からは、あたかも月以外の星の模様と複数の線状の模様１２１とは別の面を有し、複数の線状の模様１２１がより後ろ側に配置されているように見える。したがって、このような複数の線状の模様１２１と月以外の星の模様との奥行き感による効果と、前記のような月の模様と月以外の星の模様とのマイクロレンズ層１１の厚みを利用した奥行き感による効果とが相まって、時計用回転表示部材１の立体感をさらに優れたものとすることができる。すなわち、観察者からは、月の模様、月以外の星の模様、複数の線状の模様１２１の順に３層の構造が設けられているよう見える。これにより、時計用回転表示部材１の立体感を実際より効果的に観察者に認識させることができる。
【００５０】
＜第３実施形態＞
図９は、本発明の第３実施形態の時計の概略構造を示す平面図、図１０は、図９に示す時計が備える円盤針を示す平面図である。以下、第３実施形態の時計について、前記実施形態との相違点を中心に説明し、同様の事項の説明は省略する。
本実施形態の時計１００は、時計用回転表示部材１として、太陽と太陽以外の星とが描かれた円盤針１Ｄを備えている。文字板３には、円盤針１Ｄの一部のみを表示するための表示窓３４が設けられている。そして、表示窓３４から視認される模様により、時間帯を直感的に認識することができるように構成されている。例えば、屋外の様子を観察することができない環境に長時間滞在した場合、針（指針）が所定の時刻を指していても、午前なのか午後であるのかが判断できない場合があるが、本実施形態のような構成とすることにより、円盤針１Ｄにより、おおよその時間帯を判断することができるとともに、針４により正確な時刻も把握することができる。
【００５１】
本実施形態のように、時計用回転表示部材１として太陽と太陽以外の星とが描かれた円盤針１Ｄを備えるものである場合、太陽が描かれた領域と、太陽以外の星が描かれた領域とは、背景の色が異なるものであるのが好ましい。例えば、太陽が描かれた領域の背景の色は水色（薄青色）であり、太陽以外の星が描かれた領域の背景の色は濃青色等のように、太陽が描かれた領域の背景の色よりも明度の低い色であるのが好ましい。これにより、表示窓３４から視認される模様による時間帯の認識をより直感的行うことが可能となる。
また、円盤針１Ｄは、第２の装飾層１３が、太陽の模様に加え雲の模様と太陽以外の星の模様とを有しており、第１の装飾層１２が、複数の線状の模様１２１を有している。
【００５２】
以上、本発明の好適な実施形態について説明したが、本発明は上記のようなものに限定されるものではない。
例えば、本発明の時計用回転表示部材、時計では、各部の構成は、同様の機能を発揮する任意の構成のものに置換することができ、また、任意の構成を付加することもできる。
また、前述した実施形態では、本発明を携帯時計（特に、腕時計）に適用する場合について中心的に説明したが、本発明は、携帯時計以外の時計に適用されるものであってもよい。
【００５３】
また、前述した実施形態では、時計用回転表示部材が、マイクロレンズ層および複数の線状の模様を有する装飾層（第１の装飾層）に加え、第２の装飾層（マイクロレンズ層の第１の装飾層が設けられた面とは反対側の面側に設けられた装飾層）を備える構成について中心的に説明したが、本発明において、時計用回転表示部材は、第２の装飾層を備えていなくてもよい。
また、前述した実施形態では、マイクロレンズ層には、同一のパターンでマイクロレンズが設けられている場合について代表的に説明したが、マイクロレンズ層は、マイクロレンズの配置パターンの異なる複数の領域を有するものであってもよい。また、隣り合うマイクロレンズのピッチ、配置等は連続的に変化するものであってもよい。
【００５４】
また、前述した実施形態では、マイクロレンズ層が、マイクロレンズとして凸レンズを備えるものである場合について代表的に説明したが、マイクロレンズは、複数の線状の模様を備える装飾層（第１の装飾層）の設けられた面側で焦点を結ぶものであればよく、凹レンズであってもよい。
また、前述した実施形態では、隣り合う線状の模様のピッチが基準線の長手方向に沿って、連続的に変化する場合について代表的に説明したが、隣り合う線状の模様のピッチは、不連続に変化するものであってもよいし、変化しないものであってもよい。
【００５５】
また、前述した実施形態では、直線状の基準線の長手方向両端側に向かって隣り合う線状の模様のピッチが、漸増または漸減するような配置パターンについて代表的に説明したが、線状の模様の配置パターンは、ピッチが漸増する部分と漸減する部分とを有するものであってもよい。
また、前述した実施形態では、マイクロレンズを備えるマイクロレンズ層と、複数の線状の模様を備える装飾層とが、密着した構成である場合について代表的に説明したが、マイクロレンズ層と装飾層とは、密着していなくてもよい。例えば、時計用回転表示部材は、マイクロレンズ基板と、複数の線状模様を有する装飾層（第１の装飾層）が設けられた基板とを備え、これらが所定距離だけ離間したものであってもよい。
【符号の説明】
【００５６】
１００…時計  １…時計用回転表示部材  １Ａ…日車（時計用回転表示部材）  １Ｂ…曜車（時計用回転表示部材）  １Ｃ…月齢車（時計用回転表示部材）  １Ｄ…円盤針（時計用回転表示部材）  １１…マイクロレンズ層（マイクロレンズ基板）  １１１…マイクロレンズ  １２…装飾層（第１の装飾層）  １２０、１２０ａ、１２０ｂ…基準線  １２１、１２１ａ、１２１ｂ…線状の模様  １３…第２の装飾層  ２…ケース  ３…文字板  ３１…日付表示窓  ３２…曜日表示窓  ３３…月齢表示窓  ３４…表示窓  ４…針（指針）  ４１…時針  ４２…分針  ４３…秒針  ５…軸  ６…軸  ＳＡ…基準線上の点（基準点）  ＳＢ…基準線上の点  ＬＡ…線  ＬＢ…線  ＰＭＬ…ピッチ  ＰＲ…ピッチ  ＰＲＡ１…ピッチ  ＰＲＡ２…ピッチ  ＰＲＡ３…ピッチ  ＰＲＡ４…ピッチ  ＰＲＢ１…ピッチ  ＰＲＢ２…ピッチ  ＰＲＢ３…ピッチ  ＰＲＢ４…ピッチ
【図１】
2013217674.tif 000003
【図２】
2013217674.tif 000004
【図３】
2013217674.tif 000005
【図４】
2013217674.tif 000006
【図５】
2013217674.tif 000007
【図６】
2013217674.tif 000008
【図７】
2013217674.tif 000009
【図８】
2013217674.tif 000010
【図９】
2013217674.tif 000011
【図１０】
2013217674.tif 000012